(57)【要約】【課題】保守点検箇所を撮像した画像と保守点検結果を関連付けて記録する作業を容易に行うことのできる船体保守点検支援システムを提供する。【解決手段】船体の保守点検箇所の画像を蓄積管理して保守点検作業を支援するシステムであって、撮像した画像データを格納する記憶手段を備え、保守点検箇所を撮像してその画像データを記憶手段に格納する撮像端末２０と、撮像端末２０が撮像した画像データを蓄積するデータベースを備えたサーバ３０と、を有し、撮像端末２０は、撮像した画像データとともに、撮像箇所を特定する撮像箇所情報を記憶手段に格納し、サーバ３０は、その画像データと撮像箇所情報を撮像端末２０より受け取り、これらを関連付けてデータベース３２に蓄積する。【選択図】図１
2008234450.tif 000002
【特許請求の範囲】
【請求項１】
船体の保守点検箇所の画像を蓄積管理して保守点検作業を支援するシステムであって、
撮像した画像データを格納する記憶手段を備え、保守点検箇所を撮像してその画像データを前記記憶手段に格納する撮像端末と、
前記撮像端末が撮像した画像データを蓄積するデータベースを備えたサーバと、
を有し、
前記撮像端末は、
撮像した画像データとともに、撮像箇所を特定する撮像箇所情報を前記記憶手段に格納し、
前記サーバは、
その画像データと撮像箇所情報を前記撮像端末より受け取り、これらを関連付けて前記データベースに蓄積する
ことを特徴とする船体保守点検支援システム。
【請求項２】
前記撮像端末は、
撮像箇所情報の選択肢を画面表示する表示部と、操作入力を受け付ける操作部と、
を備え、
前記操作部は、
前記選択肢のいずれかを選択した旨の操作入力を受け取り、
前記記憶手段は、
前記操作部が受け取った前記操作入力に対応付けられた撮像箇所情報を、
前記画像データとともに格納する
ことを特徴とする請求項１に記載の船体保守点検支援システム。
【請求項３】
前記撮像端末は、
保守点検箇所に貼付された、当該箇所の撮像箇所情報を記録したバーコードを撮像し、
当該バーコードに記録された撮像箇所情報を読み取り、
当該撮像箇所情報を前記画像データとともに前記記憶手段に格納する
ことを特徴とする請求項１に記載の船体保守点検支援システム。
【請求項４】
前記撮像端末は、
保守点検箇所に敷設された、当該箇所の撮像箇所情報を記録したＩＤタグを読み取るリーダを備えており、
保守点検箇所を撮像する際に、
前記リーダは当該箇所に敷設されたＩＤタグから撮像箇所情報を読み取り、
当該撮像箇所情報を前記画像データとともに前記記憶手段に格納する
ことを特徴とする請求項１に記載の船体保守点検支援システム。
【請求項５】
前記撮像端末は、
保守点検箇所の状態を入力する入力部を備え、
前記記憶手段は、
前記入力部に入力された保守点検箇所の状態を当該箇所の画像データとともに格納し、
前記サーバは、
撮像箇所情報、保守点検箇所の画像データ、及び保守点検箇所の状態を前記撮像端末より受け取り、これらを関連付けて前記データベースに蓄積する
ことを特徴とする請求項１ないし請求項４のいずれかに記載の船体保守点検支援システム。
【請求項６】
前記サーバは、
前記データベースに蓄積している情報を衛星通信により送出する衛星送出手段を備える
ことを特徴とする請求項１ないし請求項５のいずれかに記載の船体保守点検支援システム。
【発明の詳細な説明】
【技術分野】
【０００１】
本発明は、船体の保守点検作業を支援するシステムに関するものであり、特に保守点検箇所の画像を撮像して蓄積管理するものに関する。
【背景技術】
【０００２】
従来、『船舶に搭載するコンピュータを利用した保守作業報告書作成支援装置に於いて、定型の保守作業報告書フォームに則って映像・音声付の保守作業報告書を作成し、データベース化して、映像・音声を付加した保守作業報告を任意に抽出できる』ことを特徴とした技術として、『船上に搭載されたコンピュータ本体１１に、保守作業報告書の定型フォームを登録しておき、その保守作業報告書フォームを表示装置１９に表示して、乗組員（オフィサー等）がキーボード、マウス等の操作入力装置１５を用いてワードプロセッサ機能によりフォーム内の必要事項を記入し、更に、映像登録装置１３、音声登録装置１４によって収集された保守作業対象の情報を、それぞれ映像登録用インタフェースや音声登録用インタフェースを介してコンピュータ本体１１に取り込み、保守作業報告書フォームに追加する。』というものが提案されている（特許文献１）。
【０００３】
また、『散在する現場での調査活動又は点検活動を容易にする調査支援システムを提供する。』ことを目的とした技術として、『調査支援システム１は、サーバ装置２及び調査員端末３Ａを含み、サーバ装置２は、調査員端末３Ａに対して各入力ステップで提供する選択肢を、その前の入力ステップで入力された入力情報に基づいて絞り込み、かつ、各入力ステップで選択された選択肢に基づいて、劣化（損傷）の原因を判定する。各ステップの選択肢は、調査対象である建造物の構造に関する情報及び材料に関する情報であり、サーバ装置２は、構造及び材料の因果関係に基づいて、次の入力ステップで提供すべき選択肢、及び、劣化の原因を絞り込んでいく。また、サーバ装置２は、各入力ステップで選択された選択肢に基づいて、調査結果を報告するための報告書案を調査員端末３に提供する。』というものが提案されている（特許文献２）。
【０００４】
【特許文献１】特開平９−１９０４８１号公報（要約）
【特許文献２】特開２００６−３３８６５４号公報（要約）
【発明の開示】
【発明が解決しようとする課題】
【０００５】
船体の保守点検作業では、保守点検箇所を撮像し、点検報告書類を別途作成して、撮像した画像をその報告書類に貼り付ける、ということがしばしば行われる。この作業は煩雑であるため、これを支援するシステムが望まれる。
しかし、上記特許文献１に記載の技術では、所定の報告フォームに保守作業結果を登録する際に個々の映像データ等を別途作成して点検結果とともに入力しなければならず、依然として作業に一定の手間がかかるという課題がある。
また、上記特許文献２に記載の調査支援システムでは、保守点検箇所の画像を撮像する手段を備えていないため、別途撮像手段を設ける必要があるが、画像と保守点検結果を別個に入力しなければならないため、同様の課題がある。
【０００６】
本発明は、上記のような課題を解決するためになされたもので、保守点検箇所を撮像した画像と保守点検結果を関連付けて記録する作業を容易に行うことのできる船体保守点検支援システムを提供することを目的とする。
【課題を解決するための手段】
【０００７】
本発明にかかる船体保守点検支援システムは、船体の保守点検箇所の画像を蓄積管理して保守点検作業を支援するシステムであって、撮像した画像データを格納する記憶手段を備え、保守点検箇所を撮像してその画像データを前記記憶手段に格納する撮像端末と、前記撮像端末が撮像した画像データを蓄積するデータベースを備えたサーバと、を有し、前記撮像端末は、撮像した画像データとともに、撮像箇所を特定する撮像箇所情報を前記記憶手段に格納し、前記サーバは、その画像データと撮像箇所情報を前記撮像端末より受け取り、これらを関連付けて前記データベースに蓄積するものである。
【０００８】
また、本発明にかかる船体保守点検支援システムにおいて、前記撮像端末は、撮像箇所情報の選択肢を画面表示する表示部と、操作入力を受け付ける操作部と、を備え、前記操作部は、前記選択肢のいずれかを選択した旨の操作入力を受け取り、前記記憶手段は、前記操作部が受け取った前記操作入力に対応付けられた撮像箇所情報を、前記画像データとともに格納するものである。
【０００９】
また、本発明にかかる船体保守点検支援システムにおいて、前記撮像端末は、保守点検箇所に貼付された、当該箇所の撮像箇所情報を記録したバーコードを撮像し、当該バーコードに記録された撮像箇所情報を読み取り、当該撮像箇所情報を前記画像データとともに前記記憶手段に格納するものである。
【００１０】
また、本発明にかかる船体保守点検支援システムにおいて、前記撮像端末は、保守点検箇所に敷設された、当該箇所の撮像箇所情報を記録したＩＤタグを読み取るリーダを備えており、保守点検箇所を撮像する際に、前記リーダは当該箇所に敷設されたＩＤタグから撮像箇所情報を読み取り、当該撮像箇所情報を前記画像データとともに前記記憶手段に格納するものである。
【００１１】
また、本発明にかかる船体保守点検支援システムにおいて、前記撮像端末は、保守点検箇所の状態を入力する入力部を備え、前記記憶手段は、前記入力部に入力された保守点検箇所の状態を当該箇所の画像データとともに格納し、前記サーバは、撮像箇所情報、保守点検箇所の画像データ、及び保守点検箇所の状態を前記撮像端末より受け取り、これらを関連付けて前記データベースに蓄積するものである。
【００１２】
また、本発明にかかる船体保守点検支援システムにおいて、前記サーバは、前記データベースに蓄積している情報を衛星通信により送出する衛星送出手段を備えるものである。
【発明の効果】
【００１３】
本発明にかかる船体保守点検支援システムによれば、保守点検箇所を撮像した画像データとともに、撮像箇所を特定する撮像箇所情報をセットにして撮像端末に記憶し、サーバ上で両者を関連付けて蓄積するので、撮像端末やサーバ上で両者を関連付ける作業が不要になり、保守点検作業の手間が軽減される。
また、保守点検箇所の画像を第３者が後から確認することもできるので、保守点検箇所に出向いて画像を撮像する作業自体は、専門知識を持たない者が実施することができる。したがって、船体に日常的に出入りする者が撮像を実施するなどして、点検の頻度を上げることができるという効果もある。
【発明を実施するための最良の形態】
【００１４】
実施の形態１．
図１は、本発明の実施の形態１に係る船体保守点検支援システムの全体図である。
図１において、船舶１０は、保守点検対象の船舶である。船舶１０内の居室には、記憶手段３１を備えた居室サーバ３０が設置されている。記憶手段３１には、後述の図２で説明する保守点検ＤＢ３２が格納されている、
撮像端末２０は、船舶１０の保守点検対象箇所を撮像するための端末であり、撮像した画像データを格納するメモリカード２１を挿入するスロットを備える。また、撮像した画像を画面表示する表示部２２、操作入力を受け付ける操作部２３を備える。メモリカード２１は任意に着脱可能である。
また、居室サーバ３０もメモリカード２１を挿入できるスロットを備えており、撮像端末２０と居室サーバ３０は、メモリカード２１を介してデータ交換可能となっている。
【００１５】
本実施の形態１における「記憶手段」は、メモリカード２１がこれに該当する。
また、「データベース」は、保守点検ＤＢ３２がこれに該当する。
また、「操作部」「入力部」は、操作部２３がこれに相当する。
【００１６】
図２は、保守点検ＤＢ３２が格納する項目を示すものである。保守点検ＤＢ３２には、過去に実施された保守点検結果が項目毎に整理されて格納されている。
図２において、（１）Ｓｈｅｅｔ  Ｎｏ．（２）ＩＮＳＰＥＣＴＩＯＮ  ＤＡＴＥ（３）ＩＮＳＰＥＣＴＩＯＮ  Ｎｏ．（４）ＨＯＬＤ（５）ＰＯＳＩＴＩＯＮ（６）ＭＥＭＢＥＲ（７）ＰＡＲＴ（８）ＣＯＮＤＩＴＩＯＮ、の各値は、保守点検時に採取する項目である。
【００１７】
各項目の意味は、以下の通りである。
（１）Ｓｈｅｅｔ  Ｎｏ．：保守点検項目が多数にわたる場合、複数のページに分けて項目を格納する。その際のページ番号が本項目に格納される。
（２）ＩＮＳＰＥＣＴＩＯＮ  ＤＡＴＥ：保守点検を実施した年月日が格納される。
（３）ＩＮＳＰＥＣＴＩＯＮ  Ｎｏ．：任意に採番された整理番号である。
（４）ＨＯＬＤ：船の荷物を積む区画を表す符号が格納される。
（５）ＰＯＳＩＴＩＯＮ：船舶１０内における位置、即ち右舷、左舷、Ｈｏｌｄの船首側、船尾側、といった情報が格納される。
（６）ＭＥＭＢＥＲ：船体構造を構成する部材を表す符号が格納される。
（７）ＰＡＲＴ：部材の点検位置を表す符号が格納される。
（８）ＣＯＮＤＩＴＩＯＮ：保守点検結果が格納される。
【００１８】
即ち、（４）〜（７）は保守点検箇所を特定するための情報であり、（８）に当該箇所の保守点検結果が格納されることになる。
【００１９】
また、図２の最下欄は、保守点検箇所を撮像した画像である。
その他の項目は、船舶１０に固有の項目であり、あらかじめ設定されるものである。
このように、保守点検ＤＢ３２には、保守点検箇所の保守点検結果と撮像画像がセットになって格納される。
【００２０】
記憶手段３１は、ＨＤＤ（Ｈａｒｄ  Ｄｉｓｋ  Ｄｒｉｖｅ）のような書き換え可能な不揮発性記憶装置などで構成することができる。また、保守点検ＤＢ３２は、記憶手段３１に、図２のような構成を有するデータファイルを格納することにより構成することができる。
【００２１】
図３は、表示部２２の画面構成を説明するものである。
保守点検作業者は、保守点検箇所に撮像端末を携帯し、当該箇所の画像を１ないし複数撮像する。ここで、撮像した画像をメモリカード２１に格納する際に、表示部２２には図３のような確認画面が表示される。以下、同画面の構成を説明する。
【００２２】
（１）撮像画像の確認
図３の左上には、撮像した画像が画面表示される。保守点検作業者は、同画像を目視確認し、画像のブレ等がないことを確認する。
（２）保守点検結果の選択
保守点検作業員は、保守点検箇所を撮像するとともに、当該箇所の点検を行う。図３において、図２の項目（４）〜（８）と同様の項目を表示部２２に画面表示し、各項目にセットする値を規定の選択肢から選択可能にしている。
（３）保守点検年月日
表示部２２の画面左下には、その時点の年月日が表示されている。これに加えて時刻も表示するようにしてもよい。
（４）Ｓａｖｅ／Ｃａｎｃｅｌボタン
保守点検作業者がＳａｖｅボタンを押下すると、撮像した画像データ、選択された各項目、及び保守点検年月日が組となって、メモリカード２１に格納される。格納されるデータの構成は、後述の図４で説明する。
【００２３】
即ち、保守点検作業者は、保守点検箇所の画像を撮像し、規定の選択肢から該当項目を選択するだけで、保守点検画像とともに保守点検結果をメモリカード２１に記録することができるようになっている。
従来のように手作業で保守点検結果の記録を行う場合は、撮像画像と保守点検結果を保守点検後に整理する作業が発生するが、このように撮像画像と保守点検結果をセットにして格納することで、後の整理の手間が省ける。
また、保守点検結果は規定の選択肢から該当するものを選択するという簡易な操作のみで記録できるので、保守点検の作業性が向上する。
【００２４】
なお、図３の表示部２２において、各項目の規定の選択肢は、あらかじめ撮像端末２０に内蔵するＲＯＭ（Ｒｅａｄ  Ｏｎｌｙ  Ｍｅｍｏｒｙ）等に格納しておくか、撮像端末２０の制御プログラム中に組み込んでおくこととする。
【００２５】
図４は、メモリカード２１に格納されるデータの構成を説明するものである。
メモリカード２１には、保守点検結果を格納するための保守点検結果テーブルと、撮像した画像ファイルを格納するための画像ファイルフォルダとが格納される。
【００２６】
図４（ａ）は、画像ファイルフォルダの構成を示すものである。
画像ファイルフォルダには、所定のファイル名規則に従って、撮像端末２０で撮像した画像ファイルが格納される。ファイル名規則は、例えば撮像年月日時刻と拡張子などとすればよい。
【００２７】
図４（ｂ）は、保守点検結果テーブルの構成を示すものである。
保守点検結果テーブルには、図３で説明した画面で保守点検作業員がセットした各項目の内容、保守点検年月日に加えて、同時に保存した撮像画像のファイル名が格納される。
図４（ｂ）において、「ＨＯＬＤ」列〜「ＣＯＮＤＩＴＩＯＮ」列には、図３の表示部２２における同名の各項目にてセットされた値が格納される。また、「ＤＡＴＥ」列には、図３の表示部２２における保守点検年月日が格納される。
「Ｆｉｌｅｎａｍｅ」列には、図３の表示部２２において、画面左上に表示されている画像が画像ファイルフォルダに格納される際のファイル名が格納される。
このように、図３における表示部２２の各項目が一体となって、保守点検結果テーブルに格納される。
【００２８】
なお、図４（ｂ）ではテーブル形式のデータ例を説明したが、保守点検結果テーブルを構成するデータファイル等の形式は、これに限られるものではなく、任意の形式を用いることができる。
【００２９】
図５は、保守点検結果を居室サーバ３０に格納する様子を示すものである。
保守点検作業者は、保守点検箇所の撮像と点検を終了すると、メモリカード２１を撮像端末２０から抜き出して、居室サーバ３０のスロットに挿入する。
居室サーバ３０には、所定のデータローダプログラムがインストールされており、図４で説明した保守点検結果テーブルに格納されている項目と画像ファイルを抽出し、保守点検ＤＢ３２に格納する。この時の処理は、以下の（１）〜（４）のように行われる。
【００３０】
（１）保守点検作業者がメモリカード２１を居室サーバ３０のスロットに挿入すると、所定のデータローダプログラムが自動的に起動し、特段の作業をすることなく、以下のデータ抽出処理が行われる。
【００３１】
（２）保守点検結果テーブルの「ＨＯＬＤ」列〜「ＣＯＮＤＩＴＩＯＮ」列の値は、図２の（４）ＨＯＬＤ〜（８）ＣＯＮＤＩＴＩＯＮにそれぞれ格納される。また、「ＤＡＴＥ」列の値は、図２の（２）ＩＮＳＰＥＣＴＩＯＮ  ＤＡＴＥに格納される。
図２の（３）ＩＮＳＰＥＣＴＩＯＮ  Ｎｏ．の値は、任意の通し番号を適宜採番する。
【００３２】
（３）「Ｆｉｌｅｎａｍｅ」列の値で特定される画像ファイルは、図２最下欄に格納される。
このとき、同一の保守点検箇所で同日に撮像された撮像画像が複数存在する場合には、これらの画像は同一の保守点検条件で撮像されたものとして一体的に取り扱い、全ての画像ファイルをセットにして格納する。
この場合には、図２に示すように、１の保守点検結果について複数の画像が格納されることとなる。
【００３３】
（４）メモリカード２１からのデータ抽出が完了すると、メモリカード２１内のデータは削除され、初期状態に戻る。
【００３４】
図６は、保守点検結果の一覧図である。保守点検ＤＢ３２には、図２で説明した個々の保守点検結果が集約されており、これを図６のような画面で履歴表示することもできる。
保守点検作業者は、居室サーバ３０上で図６のような画面を立ち上げ、保守点検の履歴を一覧確認することができる。
また、図６の「ＯＮＢＯＡＲＤ  ＳＵＲＶＥＹＳ」欄の各日付をクリックすると、図２の画面が表示され、個々の保守点検結果の詳細を確認することができる。なお、図６の上部の項目は、図２の上部の項目と共通化されている。
【００３５】
図７は、図２の画面において「ＤＢ」ボタンを押下した際に表示される画面の構成例である。
保守点検作業者は、「ＤＢ」ボタンを押下して、当該保守点検箇所の保守点検履歴を図７のような画面でサマリー表示することができる。サマリー表示画面には、当該保守点検箇所において過去に実施した保守点検の年月日とその結果が一覧表示される。
サマリー表示を確認することにより、過去に実施した保守点検とその結果の傾向が把握できるので、例えば不具合の多い箇所に関しては保守点検の頻度を上げるなど、以後の保守点検計画の立案に資する。
なお、図７は１例であり、その他の項目をサマリー表示してもよい。
【００３６】
図８は、図２の画面において「Ｐｈｏｔｏ」ボタンを押下した際に表示される画面の構成例である。
保守点検作業者は、「Ｐｈｏｔｏ」ボタンを押下して、当該保守点検箇所で撮像した画像の一覧を時系列に沿って確認することができる。これにより、保守点検箇所に劣化等が生じている場合には、その経時変化を視覚的に確認することができる。
これは、保守点検作業者以外の、例えば当該箇所の設計者等が画像の目視確認により劣化を発見することにも役立つし、あるいは保守点検作業者が目視確認するにしても、同一箇所の画像の経時変化を一覧表示で確認することにより、１時点の観察のみでは気づかなかった劣化の発見等にもつながる。
【００３７】
以上のように、本実施の形態１によれば、撮像端末２０で保守点検箇所の画像を撮像するとともに、その撮像箇所を特定する情報「ＨＯＬＤ」〜「ＰＡＲＴ」、及び保守点検結果である「ＣＯＮＤＩＴＩＯＮ」の値を規定の選択肢から選択して、撮像画像とセットにしてメモリカード２１に格納するので、画像と保守点検結果を関連付けて整理する手間が不要となり、保守点検作業の効率が向上する。
また、サマリー表示や撮像画像の一覧表示機能により、保守点検箇所の劣化の進行具合等の傾向を確認することができるので、保守点検計画の立案など、種々の作業に資するデータを提供することができる。
【００３８】
実施の形態２．
実施の形態１では、保守点検箇所の名称などを撮像端末２０上で入力する代わりに、規定の選択肢から選択することにより、保守点検作業者の作業負担を低減する構成について説明した。
本発明の実施の形態２では、これに代えてバーコードを用いる構成について説明する。
【００３９】
図９は、本実施の形態２において保守点検箇所の画像を撮像する際の様子を示すものである。
本実施の形態２において、保守点検予定箇所には、あらかじめ当該箇所の「ＨＯＬＤ」〜「ＰＡＲＴ」を表す情報を記録したバーコード１１を貼付しておく。バーコード１１の様式は、通常のバーコードでもよいし、２次元バーコードを用いてもよい。
【００４０】
図１０は、本実施の形態２における表示部２２の画面構成を説明するものである。以下、各図について説明する。
【００４１】
図１０（ａ）は、保守点検箇所の画像とバーコード１１の画像の確認画面である。保守点検作業者は、撮像した各画像を、図１０（ａ）のような画面で確認する。
図１０（ｂ）は、保守点検結果を指定する画面である。保守点検箇所の「ＨＯＬＤ」〜「ＰＡＲＴ」を表す情報はバーコードから取得することができるが、「ＣＯＮＤＩＴＩＯＮ」は保守点検作業者が確認した結果を入力しなければならない。そこで、保守点検作業者は、図１０（ｂ）のような画面で、規定の選択肢から該当するものを選択する。
【００４２】
次に、本実施の形態２において、保守点検作業者が保守点検作業を行う手順（１）〜（３）を説明する。
【００４３】
（１）保守点検箇所の撮像
保守点検作業者は、保守点検箇所の画像を撮像する。
（２）バーコードの撮像
保守点検作業者は、ステップ（１）に続いて、保守点検箇所に貼付されたバーコードを撮像する。この時点で、表示部２２には図１０（ａ）のような画面が表示されている。
（３）「ＣＯＮＤＩＴＩＯＮ」を指定
図１０（ａ）の画面で「ＯＫ」を押下すると、撮像端末２０はバーコードから当該箇所の「ＨＯＬＤ」〜「ＰＡＲＴ」を表す情報を読み取る。続いて、表示部２２には、図１０（ｂ）の画面が表示される。
保守点検作業者は、図１０（ｂ）の画面で当該箇所の保守点検結果を「ＣＯＮＤＩＴＩＯＮ」選択肢にて指定し、「Ｓａｖｅ」ボタンを押下する。
【００４４】
以上の作業手順を実施の形態１と比較すると、「ＨＯＬＤ」〜「ＰＡＲＴ」の値を選択肢から選択する手間が省略されていることが分かる。ただし、あらかじめバーコードを保守点検箇所に貼付しておく作業は別途必要である。
【００４５】
以上のように、本実施の形態２によれば、保守点検箇所に貼付したバーコード１１により「ＨＯＬＤ」〜「ＰＡＲＴ」を表し、これらの項目を入力する手間を省略することができるので、保守点検作業のさらなる効率化を図ることができる。
【００４６】
実施の形態３．
図１１は、本実施の形態３において保守点検箇所の画像を撮像する際の様子を示すものである。
本実施の形態３において、保守点検予定箇所には、あらかじめ当該箇所の「ＨＯＬＤ」〜「ＰＡＲＴ」を表す情報を格納した無線ＩＤタグ１２を敷設しておく。また、撮像端末２０には、無線ＩＤタグ１２の通信方式に合わせたリーダを備えておく。
【００４７】
次に、本実施の形態３において、保守点検作業者が保守点検作業を行う手順（１）〜（３）を説明する。
【００４８】
（１）保守点検箇所の撮像
保守点検作業者は、保守点検箇所の画像を撮像する。
（２）ＩＤタグの読み取り
保守点検作業者は、ステップ（１）に続いて、撮像端末２０のリーダを無線ＩＤタグ１２に近づけ、無線ＩＤタグ１２に格納されている情報を読み取る。「ＨＯＬＤ」〜「ＰＡＲＴ」の値は、図１０（ｂ）と同様の画面構成で表示部２２に表示される。
（３）「ＣＯＮＤＩＴＩＯＮ」を指定
保守点検作業者は、図１０（ｂ）と同様の画面で当該箇所の保守点検結果を「ＣＯＮＤＩＴＩＯＮ」選択肢にて指定し、「Ｓａｖｅ」ボタンを押下する。
【００４９】
以上のように、本実施の形態３によれば、保守点検箇所に敷設した無線ＩＤタグ１２により「ＨＯＬＤ」〜「ＰＡＲＴ」を表し、これらの項目を入力する手間を省略することができるので、実施の形態２と同様に、保守点検作業のさらなる効率化を図ることができる。
また、バーコード１１と異なり、無線ＩＤタグ１２に格納されている情報は、タグが多少汚れても読み取ることができるので、表面に汚れが付着しやすい場所であっても敷設が可能であるという利点もある。
【００５０】
実施の形態４．
図１２は、本発明の実施の形態４に係る船体保守点検支援システムの全体図である。
図１２において、居室サーバ３０は、衛星４０を介して陸上の地上センタ５０と通信する衛星送出手段を備える。その他の構成は、実施の形態１〜３と同様である。
【００５１】
地上センタ５０には、センタサーバ５１とセンタデータベース５２が設置されている。センタサーバ５１は、衛星４０を介して、居室サーバ３０と通信可能である。
居室サーバ３０は、保守点検ＤＢ３２に格納しているデータを、衛星通信により衛星４０を介してセンタサーバ５１に送信する。センタサーバ５１は、居室サーバ３０が送信したデータを受信し、センタデータベース５２に格納する。
【００５２】
センタデータベース５２は、複数の船舶それぞれについて、図２で説明した保守点検ＤＢ３２と同様の保守点検結果を格納する。したがって、地上センタでは、船舶１０が公開中に行った保守点検結果を随時確認することができる。
これにより、航海中でも船舶１０の設備の劣化状況をほぼリアルタイムに地上センタ５０で確認することができるので、安全・安心な航海に資する。
【００５３】
以上の実施の形態１〜４において、撮像端末２０と居室サーバ３０の間のデータ授受は着脱可能なメモリカード２１を介して行うことを説明したが、これに限られるものではない。例えば、専用のコネクタケーブルを介して撮像端末２０と居室サーバ３０の間のデータ授受を行ってもよいし、赤外線通信を用いるなどしてもよい。
いずれの手法でデータの授受を行う場合であっても、居室サーバ３０は、撮像端末２０から保守点検データを受け取ると、自動的に図２の各項目を抽出して、保守点検ＤＢ３２に格納するように構成する。
【００５４】
また、同一の保守点検箇所で同日に撮像された撮像画像が複数存在する場合には、これらの画像は同一の保守点検条件で撮像されたものとして一体的に取り扱うことを説明したが、このような撮像年月日による取り扱い基準に代えて、任意の通し番号を撮像時に入力させ、同一の通し番号に関連付けられた画像データを一体的に取り扱うこととしてもよい。
また、このときの通し番号を、図２の（３）ＩＮＳＰＥＣＴＩＯＮ  Ｎｏ．の値に反映してもよい。
【図面の簡単な説明】
【００５５】
【図１】実施の形態１に係る船体保守点検支援システムの全体図である。
【図２】保守点検ＤＢ３２が格納する項目を示すものである。
【図３】表示部２２の画面構成を説明するものである。
【図４】メモリカード２１に格納されるデータの構成を説明するものである。
【図５】保守点検結果を居室サーバ３０に格納する様子を示すものである。
【図６】保守点検結果の一覧図である。
【図７】図２の画面において「ＤＢ」ボタンを押下した際に表示される画面の構成例である。
【図８】図２の画面において「Ｐｈｏｔｏ」ボタンを押下した際に表示される画面の構成例である。
【図９】実施の形態２において保守点検箇所の画像を撮像する際の様子を示すものである。
【図１０】実施の形態２における表示部２２の画面構成を説明するものである。
【図１１】実施の形態３において保守点検箇所の画像を撮像する際の様子を示すものである。
【図１２】実施の形態４に係る船体保守点検支援システムの全体図である。
【符号の説明】
【００５６】
１０  船舶、１１  バーコード、１２  無線ＩＤタグ、２０  撮像端末、２１  メモリカード、２２  表示部、３０  居室サーバ、３１  記憶手段、３２  保守点検ＤＢ、４０  衛星、５０  地上センタ、５１  センタサーバ、５２  センタデータベース。
【図１】
2008234450.tif 000003
【図２】
2008234450.tif 000004
【図３】
2008234450.tif 000005
【図４】
2008234450.tif 000006
【図５】
2008234450.tif 000007
【図６】
2008234450.tif 000008
【図７】
2008234450.tif 000009
【図８】
2008234450.tif 000010
【図９】
2008234450.tif 000011
【図１０】
2008234450.tif 000012
【図１１】
2008234450.tif 000013
【図１２】
2008234450.tif 000014